(57)【要約】【課題】コンベヤを駆動する駆動源の運転制御にソフトウェア的な工夫を凝らす対応により、ユーザの手間が少なく簡単で且つ安価に清掃を可能にする横型製袋充填包装機を提供する。【解決手段】清掃運転モード選択手段７０で、清掃すべき横型製袋充填包装機に備わるコンベヤ装置を選択する。清掃運転モードでは、制御装置６０の清掃運転モード制御部６３は、清掃設定手段７１で設定される各種の設定や、コンベヤ装置を駆動する駆動モータに備わるモータ負荷モニター機能７２からのモータ負荷の情報、安全カバーを有するコンベヤ装置については安全カバー開閉センサ７３からの開閉状態の状態に基づいて、清掃すべきコンベヤ装置を通常の包装運転速度よりも充分低い低速清掃速度で運転する。オペレータは、コンベヤ装置を手動で動かす必要もなく清掃作業を安全裏に行うことができる。【選択図】図１
2020111338.tif 000002
【特許請求の範囲】
【請求項１】
包装材ロールから帯状包装材を引き出して下流側に送る包装材繰り出し装置、
前記帯状包装材を略筒状包装材に成形するとともに当該略筒状包装材の送り方向を水平方向とする製筒器、
前記略筒状包装材の長手方向に延びる重合側縁部分にセンターシールを施すことで前記略筒状包装材を筒状包装材に成形するセンターシール装置、
前記筒状包装材内に包装すべき製品を順次供給する製品供給コンベヤ装置、
前記筒状包装材に対して当該筒状包装材を横方向に接離可能であって前記筒状包装材に接触してエンドシールを施すエンドシール装置、
前記エンドシールに関連して前記製品を内部に収容した前記筒状包装材を渡り移動させるシャトルコンベヤ装置、並びに
前記包装材繰り出し装置、前記センターシール装置、前記製品供給コンベヤ装置、前記エンドシール装置及び前記シャトルコンベヤ装置の運転速度を制御する制御装置を備えている横型製袋充填包装機において、
前記制御装置においては、前記製品供給コンベヤ装置及び前記シャトルコンベヤ装置を包装速度から定められる包装運転速度で運転する通常運転モードと、前記包装運転速度よりも充分遅い速度であって前記製品供給コンベヤ装置又は前記シャトルコンベヤ装置を清掃に適した速度で運転する清掃運転モードとが、選択可能であること
から成る横型製袋充填包装機。
【請求項２】
前記制御装置においては、前記製品供給コンベヤ装置又は前記シャトルコンベヤ装置のうち、一方又は両方のコンベヤ装置を前記清掃運転モードに選択可能であること
から成る請求項１に記載の横型製袋充填包装機。
【請求項３】
前記制御装置は、前記清掃運転モードが終了されたとき、前記清掃運転モードに入っていた一方又は両方の前記コンベヤ装置を、前記通常運転モードにおける運転開始の基準位置まで運転させてから停止させること
から成る請求項１又は２に記載の横型製袋充填包装機。
【請求項４】
前記コンベヤ装置を駆動する駆動モータに備わる負荷モニター機能を利用して当該駆動モータに働く負荷をモニターすることが可能であり、前記制御装置は、前記清掃モードにおいて、清掃の対象とされた前記コンベヤ装置について、前記負荷モニター機能によって予め設定された充分に低い検出レベル以上の負荷がモニターされたことに応じて、前記コンベヤ装置に停止させるべき負荷が生じたとして当該コンベヤ装置を停止させること
から成る請求項１〜３のいずれか一項に記載の横型製袋充填包装機。
【請求項５】
前記コンベヤ装置には当該コンベヤ装置を覆う安全カバーが配設されており、前記制御装置において当該コンベヤ装置の運転に前記清掃運転モードが選択されているときには、前記制御装置は、前記安全カバーが開けられている状態でも当該コンベヤ装置を前記清掃運転モードで運転させること
から成る請求項１〜４のいずれか一項に記載の横型製袋充填包装機。
【請求項６】
前記制御装置は、前記コンベヤ装置の運転・停止と前記安全カバーの開閉とを連動させていること
から成る請求項５に記載の横型製袋充填包装機。
【請求項７】
前記清掃運転モードにおいて、当該コンベヤ装置の低速清掃速度を任意の速度に変更、又は複数の速度の中から選択可能であること
から成る請求項１〜６のいずれか一項に記載の横型製袋充填包装機。
【請求項８】
前記清掃運転モードが選択されたことに応じて、前記横型製袋充填包装機が前記清掃運転モードで運転中であることを表示する表示手段が配設されていること
から成る請求項１〜７のいずれか一項に記載の横型製袋充填包装機。
【請求項９】
前記製品供給コンベヤ装置は、前記製品の後部を支持して搬送するプッシャアタッチメントが所定の間隔で取り付けられ、両端のスプロケットにより支持・駆動される無端チェーンから構成されているチェーンコンベヤであるとし、前記シャトルコンベヤは、前後のコンベヤ端部が前記エンドシール装置に作動に応じて互いに接近・離間する中間コンベヤ装置と包装体搬出コンベヤ装置とから成るとすること
から成る請求項１〜８のいずれか一項に記載の横型製袋充填包装機。
【発明の詳細な説明】
【技術分野】
【０００１】
本発明は、横型製袋充填包装機、特に、製品を送り込む供給コンベヤ装置等の各種のコンベヤ装置を備え、当該コンベヤ装置の清掃に適した横型製袋充填包装機に関する。
【背景技術】
【０００２】
横ピロー包装機のような横型製袋充填包装機は、一般に、包装材搬送装置によって包装材ロールから帯状包装材が引き出されて下流に送られ、当該帯状包装材が製筒器により略筒状に曲成されながら水平方向に移送され、包装すべき製品が製品供給装置によって当該曲成された包装材内に順次送り込まれ、略筒状に曲成された包装材がその長手方向の重合部分にセンターシールが施されて筒状包装材に成形され、更に、当該筒状包装材内の製品を筒状包装材の移送方向に挟むようにして前後部にそれぞれエンドシール装置によってエンドシールが施されて袋包装体（いわゆるピロー包装体）を製造する包装機である。連続する袋包装体は、例えばエンドシールにおいて切断が行われて、個々の袋包装体に切り離されて、包装体搬出コンベヤによって搬出される。包装材搬送装置、製品供給装置、エンドシール装置等は、それぞれサーボモータによって駆動され制御装置により互いに同期して動作するように制御されている（例えば特許文献１を参照）。
【０００３】
横型製袋充填包装機においては、包装すべき製品を包装機部に供給する製品供給装置は、製品の後部を支持して搬送するプッシャアタッチメントが所定の間隔で無端チェーンに取り付けられているチェーン駆動式の供給コンベヤである。無端チェーンは駆動スプロケットや従動スプロケットのように供給方向前後に配置された複数のスプロケットに掛け渡されており、駆動側のスプロケットは、減速機のような動力伝達機構を介して、供給コンベヤ駆動用サーボモータにより駆動される。駆動モータの回転力がスプロケットに伝達されて、スプロケットの歯部に噛み合う無端チェーンが駆動される。搬送路上に置かれる製品は、走行する無端チェーンのプッシャアタッチメントによって後部が押されながら搬送路上を包装機部、具体的には製筒器によって曲成された包装材内に向かって送り込まれる。供給コンベヤは、包装能力のデ−タ入力に基づいた速度で駆動される。
【０００４】
ところで、横型製袋充填包装機によって包装すべき製品が例えば菓子のような個別の食品である場合、供給コンベヤにおいては、食品からこぼれたカス等が無端チェーンやプッシャタッチメントに付着することがある。チェーンに付着した食品カスは、チェーンに入り組んだ状態となりやすく、清掃具で掻き落す或いは掃き落とすのがなかなか困難である。付着した食品カスは横型製袋充填包装機の衛生状態を悪化させる懸念があるので、その都度随時に、或いは定期的に清掃して清潔に保つ必要がある。
【０００５】
製品カスの供給コンベヤへの付着が重度の場合は、無端チェーンをスプロケットから取り外し、当該無端チェーンやそれに取り付けられたプッシャアタッチメントを清掃する、或いは供給コンベヤから無端チェーンを取り外して空間が空いたコンベヤの内部を清掃する、という念入りな清掃が行われる。供給コンベヤのチェーンをスプロケットから外して清掃を行うのは、非常に作業性が悪く、再度スプロケットに巻き掛けて元に戻すのも同様である。こうした供給コンベヤの清掃を容易に行う方法として、後述するような、特許文献２に記載されている無端チェーンの取り外しを容易に行うことを可能にする方法や、特許文献３に記載されている供給コンベヤを横型製袋充填包装機の本体から取り外す方法などが提案されている。
【０００６】
製品カスの付着が軽度な場合や製品チェンジのように清掃が既にある程度行われている場合には、無端チェーンをスプロケットから取り外すことなく、エアブローして製品カスを吹き飛ばして清掃する、という比較的簡便な清掃が行われる。この場合、清掃は、供給装置側面の安全カバーを開放し、吹き飛ばしが必要な箇所にエアブローを施すことで行われる。しかしながら、供給コンベヤの構造上、また、外部から無端チェーンへのアクセスの制約上、清掃を一気に行うことは困難である。更に、供給コンベヤは、通常、衛生上或いは安全上の観点から安全カバーで覆われており、安全カバーが開放されているときには、供給コンベヤ駆動用のサーボモータへの電源供給は安全回路の働きによって遮断されている。供給コンベヤ（包装機も、同様）は安全カバーが閉じていないと運転することができず、供給コンベヤが停止している状態でないと安全カバーを開けることができない。こうした事情は、無端チェーンやプッシャアタッチメントの清掃作業を煩雑にしている。
【０００７】
無端チェーンをその全周に亙って清掃するためには、無端チェーンを手動で動かして清掃範囲を順次移動させねばならない。即ち、供給コンベヤを停止させて安全カバーを開け、チェーンの見えている部分（範囲）の清掃が終了すると、安全カバーを閉じて、供給コンベヤを少し動かす。チェーンが少し移動して未清掃な部分がアクセス可能になると、供給コンベヤを停止させる。停止させることで安全カバーを開けることができる。供給コンベヤの停止と運転再開、安全カバーの開閉、所定範囲の清掃、という各作業を、順を追って繰り返すことで、無端チェーンやプッシャアタッチメントがその都度、一定の範囲毎に少しずつ清掃される。無端チェーン又はプッシャアタッチメントを掴んで手動で動かすことは可能であるが、減速機などの機構が付属したモータ軸が接続されたままであり、減速機を出力側から増速機として駆動することになるので、非常に大きな力を要する作業となっている。したがって、供給コンベヤの清掃は時間と手間を要していて、作業性・効率性がよくない。
【０００８】
そこで、製品を供給する供給コンベヤのチェーンをスプロケットから外さなくても、チェーンを清掃することができるようにした横型製袋充填包装機の供給コンベヤが提案されている（特許文献１）。供給コンベヤは、サーボモータにより駆動される駆動ギアから伝導ギアを介してスプロケットを回転させる従動ギアからなる駆動伝達系を備えるものとし、伝導ギアは駆動ギアに対して、嵌合・離脱構造としてのクラッチによって離脱可能に構成されている。クラッチを切って伝導ギアを駆動ギアから離脱させた場合には、サーボモータとチェーンとの連結が外れるので、無端チェーンを手動で動かすことができ、移動されて現れる無端チェーンの部位が清掃可能となる。無端チェーンを少し送って停止する作業に変わりないが、クラッチを付けることで、減速機を逆方向に（即ち、増速機として）回転させながらサーボモータを手動で動かす、というような必要がなくなる。
【０００９】
横型製袋充填包装機は、運転スイッチが入れられると、包装速度に応じて多少、運転速度が変更されることはあるが、通常は駆動モータの回転出力を減速機で減速させて各種のコンベヤを駆動する運転モードにある。横型製袋充填包装機に備わる各種のコンベヤにおいて、チェーン等に付着したゴミやカスを取り除く清掃をしようとすると、チェーンを駆動する駆動源が停止中であるときに手動で減速機を逆方向に動かす態様でチェーンを移動させることになるので、過大な力でチェーンを移動させることが求められる。過大な力を用いることなくチェーン等の清掃をするには、上記したように、無端チェーンをスプロケットから取り外すというような強引な方策に頼る、或いは、駆動モータからスプロケットに至る駆動経路に、嵌合・離脱機構（クラッチ）のようなハードウェア的な構造を追加して設けるという対処が必要であった。
【００１０】
横型製袋充填包装機において、搬入側コンベヤと排出側コンベヤとが開閉可能な渡り装置（シャトルコンベヤ）として構成されており、シャトルコンベヤが開いた状態でエンドシール装置の上下のヒータブロックが開閉可能に関連構成されており、ヒータブロックのヒートシール面の清掃を容易にした横型包装機が提案されている（特許文献２）。エンドシール装置の上下の開閉と渡り装置の進退（前後の開閉）とがカム機構によって連動されているので、ヒートシール面の上方の空間を開放させて清掃をし易くしている。
【００１１】
横型製袋充填包装機において、供給コンベヤの運転制御に関して、供給コンベヤに製品又は異物が引っかかるなどの状況が生じると、供給コンベヤを駆動するサーボモータに大きな負荷（電流、トルク）が生じる。サーボモータに過大な負荷が掛かるときに、当該サーボモータに備わるサーボアンプの負荷モニター機能を利用することでそのことを認識して供給コンベヤの運転を停止させることも、従来、行われている。
【先行技術文献】
【特許文献】
【００１２】
【特許文献１】特開２０１２−２２４４４２号公報
【特許文献２】特開２０１２−１８８１５５号公報
【特許文献３】特開２００６−３３５４６６号公報
【発明の概要】
【発明が解決しようとする課題】
【００１３】
そこで、横型製袋充填包装機に備わるコンベヤ装置の清掃については、従来、面倒な作業を伴う構造の分解・再組立て、コストの増加を招くハードウェア構造の追加、又は力任せの操作というような方策に頼らざるを得なかったが、コンベヤ装置の駆動を行う駆動源の制御に着目して、駆動源の運転制御に工夫を凝らすというソフトウェア的な対応にて、ユーザの手間が少なく簡単で且つ安価に清掃を可能にする点で解決すべき課題がある。
【００１４】
この発明の目的は、既存の横型製袋充填包装機において、ハードウェア的な構成に変更を加えることなく、コンベヤ装置を駆動する駆動源の運転制御にソフトウェア的な工夫を凝らす対応により、ユーザの手間が少なく簡単で且つ安価に清掃を可能にする横型製袋充填包装機を提供することである。
【課題を解決するための手段】
【００１５】
この発明による横型製袋充填包装機は、
包装材ロールから帯状包装材を引き出して下流側に送る包装材繰り出し装置、
前記帯状包装材を略筒状包装材に成形するとともに当該略筒状包装材の送り方向を水平方向とする製筒器、
前記略筒状包装材の長手方向に延びる重合側縁部分にセンターシールを施すことで前記略筒状包装材を筒状包装材に成形するセンターシール装置、
前記筒状包装材内に包装すべき製品を順次供給する製品供給コンベヤ装置、
前記筒状包装材に対して当該筒状包装材を横方向に接離可能であって前記筒状包装材に接触してエンドシールを施すエンドシール装置、
前記エンドシールに関連して前記製品を内部に収容した前記筒状包装材を渡り移動させるシャトルコンベヤ装置、並びに
前記包装材繰り出し装置、前記センターシール装置、前記製品供給コンベヤ装置、前記エンドシール装置及び前記シャトルコンベヤ装置の運転速度を制御する制御装置を備えている横型製袋充填包装機において、
前記制御装置においては、前記製品供給コンベヤ装置及び前記シャトルコンベヤ装置を包装速度から定められる包装運転速度で運転する通常運転モードと、前記包装運転速度よりも充分遅い速度であって前記製品供給コンベヤ装置又は前記シャトルコンベヤ装置を清掃に適した速度で運転する清掃運転モードとが、選択可能であることから成っている。
【００１６】
本発明である横型製袋充填包装機によれば、制御装置においては、通常の通常運転モードに加えて清掃運転モードが用意されていて、オペレータがいずれかのモードを選択できるようになっている。オペレータは、横型製袋充填包装機に備わるコンベヤ装置を清掃しようとするときには、清掃運転モードを選択することができる。清掃運転モードでは、当該コンベヤ装置は通常の包装運転速度よりも充分低い低速清掃速度で運転されるので、オペレータは当該運転されているコンベヤ装置の清掃作業を安全裏に行うことができ、清掃中のコンベヤ装置がオペレータに対して安全上の危惧を生じさせるという懸念が回避される。また、駆動源によってコンベヤ装置を運転させつつ清掃をすることができ、コンベヤ装置が回っていて、目の前で清掃箇所が順次移動していく方が清掃しやすいというオペレータの効率的な清掃の求めに応じることができる。
清掃運転モードでのコンベヤ装置の清掃に適した速度とは、包装運転速度よりも充分遅い低速清掃速度とすることができ、或いは清掃に時間が掛かりそうな場合にはコンベヤ装置を停止させることを含むことができる。
【００１７】
この横型製袋充填包装機において、前記制御装置においては、前記製品供給コンベヤ装置又は前記シャトルコンベヤ装置のうち、一方又は両方のコンベヤ装置を前記清掃運転モードに選択可能であるとすることができる。
ユーザが、一方のコンベヤ装置について清掃が必要と判断した場合、その一つのコンベヤ装置を清掃対象とするように選択して低速清掃速度で運転することができるが、両方のコンベヤ装置を同期した低速清掃速度で運転するようにしてよい。両方のコンベヤ装置を同期した低速清掃速度で運転するときには、横型製袋充填包装機の全体をその同期した低速清掃速度で運転することにもなり、コンベヤ装置の選択が必要なくなるので、制御装置における制御手順を却って簡略化することができる。この場合、センターシール装置やエンドシール装置のようなシール装置については、運転を停止したままとすることができる。或いは、コンベヤ装置だけではなく、他のセンターシール装置やエンドシール装置までをも含めた横型製袋充填包装機の全体を充分特別にゆっくりとした低速清掃速度で運転することもできる。
【００１８】
この横型製袋充填包装機において、前記制御装置は、前記清掃運転モードが終了されたとき、前記清掃運転モードに入っていた一方又は両方の前記コンベヤ装置を、前記通常運転モードにおける運転開始の基準位置まで運転させてから停止させることができる。
制御装置をこのように構成した場合、通常運転モードの運転開始時には、コンベヤ装置のポジションは基準位置を占めていることになり、通常の運転モードにスムーズに移行することができる。
【００１９】
この横型製袋充填包装機において、前記コンベヤ装置を駆動する駆動モータに備わる負荷モニター機能を利用して当該駆動モータに働く負荷をモニターすることが可能であり、前記制御装置は、前記清掃モードにおいて、清掃の対象とされた前記コンベヤ装置について、前記負荷モニター機能によって予め設定された充分に低い検出レベル以上の負荷がモニターされたことに応じて、前記コンベヤ装置に停止させるべき負荷が生じたとして当該コンベヤ装置を停止させることができる。
コンベヤ装置に関連する負荷をモニターする手段としては、当該コンベヤ装置を駆動する駆動モータに備わっている利用可能な機能であって、当該駆動モータに働く負荷をモニター可能な負荷モニター機能とすることができる。駆動モータに働く負荷としてモニター可能なものは、当該駆動モータがサーボモータである場合の出力トルクや当該サーボモータに備わるサーボアンプに流れる電流とすることができる。
清掃運転モードで駆動されるコンベヤ装置において負荷をモニターする機能自体は、既存のサーボモータのような駆動モータに備わっているものであり、負荷モニター機能の検出レベルの変更は、ハードウェアの変更に依るのではなく、駆動モータについてのソフトウェア的な設定によって行うことができる。駆動モータに備わる負荷モニター機能による負荷の検出レベルを充分に低く下げたレベルに設定することにより、コンベヤ装置の低速運転中に遭遇した負荷の上昇が小さいものであっても、そのことが駆動モータのモニター機能によってモニターされたときには、当該コンベヤ装置の運転を直ちに停止させることができる。これにより、低速清掃速度で運転されているコンベヤ装置を清掃中のオペレータが当該コンベヤ装置に触れる等によって、軽い負荷でも通常とは異なる負荷であるときには、直ちに駆動モータを駆動停止にしてコンベヤ装置を停止させるので、オペレータが安全裏にコンベヤ装置の清掃を行うことができる。
【００２０】
この横型製袋充填包装機において、前記コンベヤ装置には当該コンベヤ装置を覆う安全カバーが配設されており、前記制御装置において当該コンベヤ装置の運転に前記清掃運転モードが選択されているときには、前記制御装置は、前記安全カバーが開けられている状態でも当該コンベヤ装置を前記清掃運転モードで運転させることができる。
現状の横型製袋充填包装機では、例えば、シャトルコンベヤ装置を覆う安全カバーが配設されている。こうした安全カバーは、開放されると包装機の運転が停止する、そして安全カバーが開いている状態では包装機を運転することはできない、という安全設計となっている。したがって、コンベヤ装置の清掃をするには、（１）包装機の運転停止、安全カバーの開放、手動でのコンベヤ装置の運転、コンベヤ装置の清掃、コンベヤ装置の手動運転と清掃の繰り返し、清掃終了時に安全カバーの閉鎖、包装機の運転再開、という手順、又は、（２）包装機の運転停止、安全カバーの開放、コンベヤ装置の清掃、安全カバーの閉鎖、包装機の若干の運転、包装機の運転停止（最初に戻る）、以上の手順の繰り返し、清掃終了時に安全カバーの閉鎖、包装機の運転再開、という煩雑な手順を取っていた。
安全カバーが配設されたこの発明による横型製袋充填包装機では、清掃運転モードが選択される場合に、清掃対象となるコンベヤ装置の安全カバーが開放されたことが検出されると、包装機の全運転が停止されるのではなく、当該コンベヤ装置については清掃運転モードで指定されている低速清掃速度で運転（駆動モータを駆動）される。したがって、オペレータは、安全カバーを開けると、コンベヤ装置の清掃作業に入ることができる。
【００２１】
コンベヤ装置に安全カバーが配設されている横型製袋充填包装機において、前記制御装置は、前記コンベヤ装置の運転・停止と前記安全カバーの開閉とを連動させることができる。
連動内容の例としては、オペレータが制御装置に用意される清掃運転モードを選択して包装機が清掃運転モードに移行したときには、安全カバーを開放すると包装機の運転は自動的に停止し、停止した状態にあるコンベヤ装置を清掃することができ、安全カバーを閉鎖すると包装機は自動的に一定速度（ゆっくりした低い速度）で運転を開始するものとすることができる。この場合、コンベヤ装置の清掃のためにオペレータがする操作は、安全カバーの開閉操作のみとなり、包装機の運転・停止を操作する必要はない。
また、別の連動の例として、コンベヤ装置の安全カバーを開放すると、直ちに或いは所定の短い時間を置いて、当該コンベヤ装置の運転が清掃運転モードで指定されている運転速度で開始される、とすることができる。また、安全カバーを閉鎖すると、直ちに或いは所定の短い時間を置いて、当該コンベヤ装置の運転を停止してもよく、或いは同じ運転速度で継続運転させてもよい。
【００２２】
この横型製袋充填包装機において、前記清掃運転モードにおいて、当該コンベヤ装置の低速清掃速度を任意の速度に変更、又は複数の速度の中から選択可能であるとすることができる。例えば、当該コンベヤ装置の低速清掃速度をデフォルト速度、更に遅い速度、或いは停止にも変更可能とすることができる。また、デフォルト速度に対して任意の速度（％割合）に設定することができる。コンベヤ装置の速度を低速清掃速度よりも更に遅い速度、或いは停止モードに変更してコンベヤ装置の念入りな清掃を行うことができる。
【００２３】
この横型製袋充填包装機において、前記清掃運転モードが選択されたことに応じて、前記横型製袋充填包装機が前記清掃運転モードで運転中であることを表示する表示手段を配設することができる。
表示手段によって横型製袋充填包装機が清掃運転モードで運転中であることを表示することで、当該オペレータ、或いは他のオペレータが、横型製袋充填包装機の運転モードを認識・確認をすることができる。表示手段の例としては、ランプやディスプレイのような光学的表示、或いは警報音のような音響的表示とすることができる。
【００２４】
この横型製袋充填包装機において、前記製品供給コンベヤ装置は、前記製品の後部を支持して搬送するプッシャアタッチメントが所定の間隔で取り付けられ、両端のスプロケットにより支持・駆動される無端チェーンから構成されているチェーンコンベヤであるとし、前記シャトルコンベヤ装置は、前後のコンベヤ端部が前記エンドシール装置に作動に応じて互いに接近・離間する中間コンベヤ装置と包装体搬出コンベヤ装置とから成っているとすることができる。
【発明の効果】
【００２５】
本発明によるコンベヤ装置の清掃に適した横型製袋充填包装機によれば、制御装置においては、オペレータがいずれかのコンベヤ装置を清掃しようとするときには、通常の包装運転速度よりも充分遅い低速清掃速度で当該コンベヤ装置を運転する清掃運転モードを選択することができる。清掃運転モードにおいては、低速清掃速度でコンベヤ装置を運転することにより、手動でコンベヤ装置を移動させる労力を費やす必要がなく、また、清掃中のコンベヤ装置がオペレータに対して安全上の危惧を生じさせることがない。更に、駆動源によってコンベヤ装置を運転させる中で清掃をすることができ、コンベヤ装置が回っていて目の前で清掃箇所が順次移動していく方が清掃しやすいというオペレータの効率的な清掃の求めに応じることができる。このように、コンベヤ装置を通常の運転速度よりも充分低速の低速清掃速度で運転するので、オペレータは、当該コンベヤ装置の清掃作業を安全裏に且つ少ない手間で行うことができる。
【図面の簡単な説明】
【００２６】
【図１】本発明による横型製袋充填包装機の制御装置の一例を示すブロック図である。
【図２】図１に示す制御装置によって行われるコンベヤ装置の制御の一例を示すフロー図である。
【図３】図３は、図１に示す横型製袋充填包装機に用いられる表示装置の表示画面の一例を示す図である。
【図４】本発明が適用可能な横型製袋充填包装機の一例を概略的に示す斜視図である。
【図５】図４に示す横型製袋充填包装機に対応した概略図である。
【図６】図４に示す横型製袋充填包装機のエンドシール装置とシャトルコンベヤ装置の一例を拡大して示す側面概略図である。
【発明を実施するための形態】
【００２７】
本発明による横型製袋充填包装機の実施例について、以下に、図を参照して説明する。図４は、本発明が適用可能な横型製袋充填包装機の一例を概略的に示す斜視図である。横型製袋充填包装機１は、その中央上部に、包装材ロール（図示せず）を支持するとともに包装材ロールから帯状包装材を引き出して下流側に送り出す包装材繰り出し装置２を備えている。包装材繰り出し装置２は、帯状包装材を巻き取った包装材ロールを支持する巻取りホルダ３ａ、帯状包装材を挟み込んで送り出す包装材送りローラ３ｂ、帯状包装材に掛かる張力を一定に保つクッションローラ３ｃ、及び後述する製筒器への包装材進入角度と距離を整えるテンションローラ３ｄを備えているが、それぞれ横型製袋充填包装機おいて周知の構造であるので、ここでの詳細な説明を省略する。
【００２８】
横型製袋充填包装機１は、また、帯状包装材を略筒状に曲成する製筒器（フォーマ）４と、製筒器４によって曲成された包装材内に包装対象物である製品を等ピッチで順次送り込む製品供給コンベヤ装置５を備えている。製品供給コンベヤ装置５それ自体は、従来のものと同様、無端チェーンに所定の間隔でプッシャアタッチメントが取り付けられたコンベヤ装置であり、駆動モータで駆動される。製筒器４を通過した略筒状の包装材の送り方向は、水平方向、即ち、横型製袋充填包装機１で言うところの横方向となっている。製品供給コンベヤ装置５は、上部を覆うカバー類を特に備えていないので、上に向かってオープンな状態にある。横型製袋充填包装機１は、更に、製品供給コンベヤ装置５の略水平延長下流側に、目加工された一組のヒートローラによって略筒状包装材の長手方向に延びる重合側縁部分にセンターシールを施して、帯状包装材を筒状包装材に成形するセンターシール装置６を備えている。センターシール装置６の下流には、目加工された一組のヒータとカッタを備えていて、筒状包装材に対して横断方向に接離可能であって筒状包装材に接触してエンドシールを施すエンドシール装置７と、製造された包装体（ピロー包装体）を包装機外の箱詰め装置等に搬出するベルト搬送式の包装体搬出装置８が配設されている。エンドシール装置７は、製品を筒状包装材の送り方向前後に挟む位置において当該筒状包装材に対して、例えばボックスモーション動作で接近・離間し、筒状包装材に接触してエンドシールを施す。
【００２９】
センターシール装置６、エンドシール装置７及び包装体搬出装置８には、それぞれの装置を上側から覆う安全カバー６ａ，７ａ，８ａが設けられている。オペレータは、安全カバー６ａ，７ａ，８ａにそれぞれ付いている取っ手６ｂ，７ｂ，８ｂを握って上下に操作することで、安全カバー６ａ，７ａ，８ａの開閉操作をすることができる。通常の包装動作では、センターシール装置６、エンドシール装置７及び包装体搬出装置８は相当の速度で動作しているので、オペレータへの安全を図り更に異物の混入を回避するため、安全カバー６ａ，７ａ，８ａは閉じられている。センターシール装置６、エンドシール装置７の清掃をするときには、安全カバーカバー６ａ，７ａを各ヒンジ回りに回動させて開状態とすることで、オペレータは各コンベヤ装置６，７を目視して汚れ等の確認をすることができる。なお、包装体搬出装置８は、ベルトコンベヤ式ではあるが、製品カスで汚れる可能性が低く且つ個別的に清掃可能でもあるので、ここでは横型製袋充填包装機における清掃対象としてのコンベヤ装置には含めない。
【００３０】
図５は、図４に示す横型製袋充填包装機に対応しており、製品を供給して包装材で製品を包装している状態を示す横型製袋充填包装機の概略図である。図５（ａ）は横型製袋充填包装機の側面から見た概略図であり、図５（ｂ）は横型製袋充填包装機の上面から見た概略図である。包装材繰り出し装置２は、巻取りホルダ３ａに支持されている包装材ロールＦｒから帯状包装材Ｆｗを繰り出しており、紙送り用サーボモータ３ｅから適宜の伝動機構を介して駆動される包装材送りローラ３ｂによって帯状包装材Ｆｗを挟み込んで製筒器４に向かって送り出す。図４及び図５を参照すると、横型製袋充填包装機１は、連続動作型の包装機であって、横方向に連続的に移送される帯状包装材Ｆｗから筒状包装材Ｆｔを形成しつつその内部に製品Ｐを送り込み、袋包装体であるピロー包装体Ｂｐを連続して製造する包装機である。帯状包装材Ｆｗは、製筒器（フォーマ）４によって、当該包装フィルムＦｗの両側縁部分（重合部分）ｆｅ，ｆｅが互いに引き寄せられて略筒状になるまで曲成される。
【００３１】
製筒器４を通過して略筒状に曲成された帯状包装材Ｆｗは、センターシール装置６を通過し、その際に重ね合わされた両側縁部分ｆｅ，ｆｅにセンターシールが施されることで筒状包装材Ｆｔに成形される。センターシール装置６は、包装材の送り上流側から順に、紙引きローラ部１０と、その後流側の直後に配設されている加熱用のバーヒータ部３０と、目付ローラ部２０とを備えている。本実施例では、センターシール装置６は、紙引き装置を兼ねている。紙引きローラ部１０は目加工された一組の紙引きローラ１１，１２を備えており、ローラ１１，１２は、紙引き用サーボモータ１３からの駆動力の供給を受けて、互いに逆方向に同期した速度で回転される。紙引きローラ１１，１２の周面間に、略筒状に曲成された帯状包装材Ｆｗの重ね合わされた両側縁部分ｆｅ，ｆｅが挟み込まれる。帯状包装材Ｆｗは、両側縁部分ｆｅ，ｆｅが紙引きローラ１１，１２から作用する引っ張り力を受けて紙引きされ、後続のバーヒータ部３０に送られる。
【００３２】
加熱用のバーヒータ部３０は、帯状包装材Ｆｗの両側縁部分ｆｅ，ｆｅを間に挟むように近接する一対のバーヒータ３１，３２を備えており、両側縁部分ｆｅ，ｆｅを輻射熱により加熱する。バーヒータ部３０の下流側には、目付ローラ部２０が配設されている。目付ローラ部２０は、目加工された一組の目付ローラ２１，２２を備えており、目付ローラ２１，２２は目付ローラ用サーボモータ２３からの駆動力の供給を受けて互いに逆方向に同期した速度で回転される。紙引き用サーボモータ１３と目付ローラ用サーボモータ２３とは、紙引きローラ部１０と目付ヒータ部２０のそれぞれのローラ周速が等しくなるように制御される。帯状包装材Ｆｗの紙送りが長時間停止するようなときに、包装材の焼付きを防止するため、バーヒータ部３０は、バーヒータ３１，３２を互いに接近・離間させるための開閉用機構（図示せず）を備えているのが好ましい。目付ローラ２１，２２には発熱手段（ヒータ）が埋設されていないが、バーヒータ３１，３２により加熱された両側縁部分ｆｅ，ｆｅを加圧することでセンターシールを完成し、曲成された包装フィルムＦｗは筒状包装フィルムＦｔに成形される。
【００３３】
センターシール装置６の後流にはエンドシール装置７が配設されている。エンドシール装置７は、送込み方向前後に連なる包装物Ｐ，Ｐ間において、筒状包装材Ｆｔにエンドシールを施すことで袋Ｂのエンドシール部Ｓｅを形成する。こうした工程を経て、包装物Ｐが袋内に封入されたピロー包装体Ｂｐが順次製造される。エンドシール装置７には、エンドシール部Ｓｅにおいて包装フィルムを切断するカッタ（周知のものであり、ここでは図示せず）を組み込むことで、ピロー包装体Ｂｐを個々に分離することができる。
【００３４】
図６は、図４に示す横型製袋充填包装機のンドシール装置とシャトルコンベヤ装置の一例を拡大して示す側面概略図である。図６に示すように、エンドシール装置７は、センターシール装置６による連続的な紙送りが行われている筒状包装材Ｆｔに対してボックスモーション的に開閉駆動される直動型のエンドシーラ７ｃ，７ｄを有している。エンドシーラ７ｃ，７ｄは、上側と下側のヒータブロックであって、閉じ動作のときに、上下方向から筒状包装材Ｆｔに接近し、筒状包装材Ｆｔを挟み込みながら筒状包装材Ｆｔとともに移動する中で加圧・加熱して筒状包装材Ｆｔにエンドシールを施し、その後、開き動作で筒状包装材Ｆｔから上下方向に離間する。シャトルコンベヤ装置４０は、中間コンベヤ装置４１と包装体搬出コンベヤ装置４２とが互いに関連する動作をする組のコンベヤ装置として構成されており、ボックスモーション動作をするエンドシール装置７の前後で製品Ｐを内部に収容した筒状包装材Ｆｔを渡り移動させる機能を奏する。シャトルコンベヤ装置４０において、中間コンベヤ装置４１と包装体搬出コンベヤ装置４２とは、それぞれ、シャトルコンベヤ用サーボモータ４３から適宜の伝動機構４４を介して駆動される駆動プーリ４５，４６と、コンベヤ搬送方向に互いに接近・離間する渡りプーリ４７，４８と、渡りプーリ４７，４８の接近・離間に応じて動滑車のように移動する中間プーリ４９，５０と、その他の位置固定のガイドプーリ５１，５２を備えている。渡りコンベヤ装置４１と包装体搬出装置４２においては、それぞれ、これらプーリ４５，４７，４９，５１；４６，４８，５０，５２にコンベヤベルト５３，５４が図示のように巻き掛けられている。
【００３５】
図６（ａ）は、エンドシール装置７のエンドシーラ７ｃ，７ｄが筒状包装材Ｆｔに接近してエンドシールを施す状態を示している。この状態では、渡りプーリ４７，４８が離間した状態にあり、その間を通してエンドシーラ７ｃ，７ｄの筒状包装材Ｆｔへの接近・離間を許容している。シャトルコンベヤ４１，４２の各プーリは、中央位置に対して、丁度、対称配置の状態にある。駆動プーリ４５，４６によってシャトルコンベヤ４１，４２の各コンベヤベルト５３，５４は同じ速度で移動する。
【００３６】
図６（ｂ）はエンドシール装置７のエンドシーラ７ｃ，７ｄが筒状包装材Ｆｔから離間して筒状包装材Ｆｔの通過を許容している状態を示している。エンドシールを施した後、エンドシーラ７ｃ，７ｄが筒状包装材Ｆｔから離間すると、中間コンベヤ装置４１と包装体搬出コンベヤ装置４２の渡りプーリ４７，４８が接近して、製品Ｐ入りの筒状包装材Ｆｔをコンベヤベルト５３，５４に載せて中間コンベヤ装置４１から包装体搬出コンベヤ装置４２へと移動させる。シャトルコンベヤ用サーボモータ４３の駆動に加えて、中間プーリ４９，５０と渡りプーリ４７，４８が搬送方向に平行な方向に移動制御され、その結果、渡りプーリ４７，４８は、互いに接近した状態で搬送方向に移動（動滑車の原理に従って、中間プーリ４９，５０の移動速度の倍速で移動）して製品Ｐ入りの筒状包装材Ｆｔの渡り状態のベルト搬送を許容している。製造されたピロー包装体Ｂｐは、包装体搬出コンベヤ装置４２から包装体搬出装置８に渡されて包装機外へ搬出される。
【００３７】
図１は、本発明のよる横型製袋充填包装機に備わる制御装置の一例を示すブロック図である。図１に示すように、制御装置６０は、横型製袋充填包装機において駆動される各種の装置のタイミングや運転速度等を制御する。各装置において制御する具体的な制御対象は、それぞれの装置におけるタイミングや、位置及び速度の制御に適している駆動モータ（例えば、サーボモータ）である。制御装置６０においては、運転モード制御部６１として、包装材繰り出し装置２、製品供給コンベヤ装置５、センターシール装置６、エンドシール装置７、シャトルコンベヤ装置４０及び包装体搬出装置８を包装速度から定められるタイミングや運転速度等で運転する通常運転モード制御部６２と、包装運転速度よりも充分遅い速度であって、コンベヤ装置である製品供給コンベヤ装置５やシャトルコンベヤ装置４０を清掃に適した速度で運転する清掃運転モード制御部６３とが備わっており、オペレータがいずれかの運転モードを選択することができる。
【００３８】
制御装置６０への入力要素の一つとして、運転モード選択手段７０がある。モード選択手段７０においては、オペレータは、横型製袋充填包装機１が行う運転モードとして、通常運転モードか清掃運転モードかの選択を行う。モード選択手段７０において選択された運転モードが制御装置６０の運転モード指定部６４に入力される。運転モード指定部６４は、入力された運転モードに応じて運転モード制御部６１に指定信号を送り、制御動作を行う運転モード制御部（通常運転モード制御部６２、又は清掃運転モード制御部６３）を定める。清掃対象となるコンベヤ装置としては、製品供給コンベヤ装置５やシャトルコンベヤ装置４０のうち、一方のコンベヤ装置又は両方のコンベヤ装置を選択可能である。センターシール装置６やエンドシール装置７のようなシール装置については、運転を停止したままとしても、コンベヤ装置５、４０と同期した低速清掃速度で運転してもよい。
【００３９】
制御装置６０への別の入力要素として、上記の清掃運転モードにおける清掃対象コンベヤ装置と清掃運転速度との組合せ等を詳細に設定する清掃設定手段７１がある。清掃設定手段７１において設定された詳細な設定内容が制御装置６０における設定記憶手段６５に記憶される。清掃運転モードを選択する場合には、モード選択手段７０において、清掃運転モードでの清掃対象となるコンベヤ装置や清掃運転速度等の組合せを選択すると、選択された情報は運転モード指定部６４から運転モード制御部６１にも送られ、運転モード制御部６１は、その設定内容を設定記憶手段６５から呼び出すことができる。
【００４０】
清掃運転モードではコンベヤ装置の運転速度は低速清掃速度であるので、オペレータは、基本的には安全にコンベヤ装置を清掃することができる。清掃中のオペレータ自身が触れる、又は清掃具が引っかかる等の万一の事態に対処するため、コンベヤ装置を駆動する駆動モータに備わっている負荷モニター機能が利用される。即ち、サーボモータ等の駆動モータに備わる既存の負荷モニター機能について、その負荷検知レベルを充分低い検知レベルにソフトウェア的に設定変更するなどして、当該駆動モータに働く僅かな負荷であってもこれをモニター可能とする。当該負荷モニター機能の検出レベルを低負荷レベルに下げることにより、低速清掃速度で運転されているコンベヤ装置を清掃しているオペレータが当該コンベヤ装置に触れる等によって、通常とは異なる一定以上の負荷がモニター機能によって認識されるときには、軽い僅かな負荷であっても一定の負荷がコンベヤ装置に掛かったものとして、直ちに駆動モータの駆動を停止させてコンベヤ装置を停止させる。
【００４１】
制御装置６０への他の入力要素として、製品供給コンベヤ装置５とシャトルコンベヤ装置４０に運転負荷、具体的には、各コンベヤ装置を駆動する駆動モータに備わる負荷モニター機能７２（駆動モータに流れる電流、生じているトルクをモニター可能）を利用し、制御装置６０では、駆動モータに備わる負荷モニター機能７２のモニター情報を負荷判定部６６で受けて、その判定結果が入力される運転モード制御部６１において当該判定結果に応じてコンベヤ装置の運転、即ち、当該コンベヤ装置を駆動する駆動モータを制御する。負荷判定部６６での運転負荷の判定レベル（負荷モニター機能の負荷検出レベル）についてはソフトウェア的に充分低いレベルに設定することで、僅かに増大した負荷を検出する場合もコンベヤ装置の運転を停止して、オペレータによるコンベヤ装置の清掃の安全を図るのが好ましい。
【００４２】
シャトルコンベヤ装置４０の清掃については、センターシール装置６及びエンドシール装置７に備わる安全カバー６ａ，７ａを開放して内部を目視可能とする必要がある。そこで、制御装置６０への別の入力要素として、安全カバー６ａ，７ａの開閉を検知する安全カバー開閉センサ７３が設けられている。安全カバー開閉センサ７３の検知信号は、制御装置６０において、カバー開閉判定部６７に入力される。カバー開閉判定部６７の判定結果は、運転モード制御部６１に入力される。通常運転モードでは、いずれかの安全カバー６ａ，７ａが開放されている場合には、危険回避のため通常運転動作ができないように包装機１を設定することができるが、清掃運転モードでは、コンベヤ運転速度が低速であるので、カバー開閉判定部６７で安全カバー６ａ，７ａが開放されていると判定される場合には、シャトルコンベヤ装置４０を清掃運転モードで運転させる（或いは運転を可能とするべく、別の操作スイッチでシャトルコンベヤ装置の運転・停止を操作させる）ことができる。また、安全カバー６ａ，７ａの開閉で以てシャトルコンベヤ装置４０の清掃運転モードの運転・停止させるように連動させれば、安全カバー６ａ，７ａにシャトルコンベヤ装置４０の運転・停止というスイッチの役目を持たせることもできる。
【００４３】
清掃運転モードでは、清掃の対象とされるコンベヤ装置は、通常運転モードでの運転速度よりも充分低い低速清掃速度で運転される。低速清掃速度については、複数の速度レベルに設定可能である（後述する表示装置の表示画面を参照）。清掃運転モードでは、通常運転速度よりも充分低速の清掃速度でコンベヤ装置を運転するので、オペレータは、当該運転されているコンベヤ装置の清掃作業を安全裏に行うことができる。また、オペレータによっては、コンベヤ装置が作動していて、目の前で清掃箇所が順次移動していく方が清掃しやすいという求めがあるので、駆動モータによってコンベヤ装置を低速で運転させつつ清掃をすることができる。清掃運転モードでのコンベヤ装置の清掃に適した速度とは、一般には包装運転速度よりも充分遅い低速清掃速度であり、清掃に特別に時間が掛かりそうな場合にはコンベヤ装置を停止させることを含むことができる。
【００４４】
図２は、図１に示す制御装置によって行われるコンベヤ装置の制御の一例を示すフロー図である。以下、図１、図４〜図６に示す装置構成については、適宜、符号と共に引用して説明する。図２に示す例によれば、横型製袋充填包装機１の電源投入をして制御フローがスタートすると、先ず、包装機１の運転モードの選択（モード選択手段７０による選択）がなされたか否かが判定される（ステップ１；「Ｓ１」と略す。以下同じ）。運転モードの選択がなされていなければ、待機状態に移行して、運転モードが選択されるのを待つ。Ｓ１において包装機１の運転モードの選択がなされたと判定された場合には、選択された運転モードが通常運転モードであるか、清掃運転モードであるか（運転モードの指定）が判定される（Ｓ２）。Ｓ２における選択運転モードが通常運転モードである場合には、制御装置６０では製品の包装を行うため、通常運転モード制御部６２が各装置を制御する（Ｓ３）。Ｓ３における通常運転モードの詳細については、包装機１において自明のものであり、ここでは説明を省略する。
【００４５】
Ｓ２における選択運転モードが清掃運転モードである場合には、オペレータが選んだ清掃すべきコンベヤ装置がいずれのコンベヤ装置であるのかに応じて制御が設定される（Ｓ４）。制御装置６０ではコンベヤ装置の清掃のために、清掃運転モード制御部６３が各装置を制御する。清掃すべきコンベヤ装置は両方のコンベヤ装置５，４０である可能性はあるが、現実的にもまた説明を簡単にするためにも、一つずつ順次に清掃されるものとして説明する。清掃すべきコンベヤ装置が安全カバーで覆われているコンベヤ装置であるか否かが判定される（Ｓ５）。安全カバーを有していないコンベヤ装置（製品供給コンベヤ装置５）である場合には、製品供給コンベヤ装置５が低速清掃運転速度で運転され、その間にオペレータが製品供給コンベヤ装置５の清掃を実行する（Ｓ６）。
【００４６】
Ｓ５の判定が「有り」の場合、清掃運転モードにあって、安全カバーを有しているコンベヤ装置（シャトルコンベヤ装置４０）の安全カバー６ａ又は７ａが開けられたか否かが判定される（Ｓ７）。安全カバーが開放されていなければ、清掃の準備ができていないと判断されて、シャトルコンベヤ装置４０の運転を停止（Ｓ１４）させて、安全カバーが開放されるのを待つ。安全カバーが開放されている場合には、低速清掃速度での運転が実行される（Ｓ８）。逐次、安全カバーの開閉を判定することにより、安全カバーの開閉とシャトルコンベヤ装置４０の低速清掃速度での運転・停止とを連動させることができる。
【００４７】
いずれのコンベヤ装置であっても、低速清掃速度で運転されているときには、そのコンベヤ装置に掛かる負荷を、当該コンベヤ装置を駆動する駆動モータに備わる負荷モニター機能７２でモニターして、モニターされた負荷が設定された負荷レベル（閾値）を越えているか否かが判定される（Ｓ９；負荷判定部６６による判定）。モニターされた負荷が設定された負荷レベルを越えている場合には、当該コンベヤ装置に掛かる負荷が僅かであっても一定以上であるとしてその運転を停止する（Ｓ１１）。過大負荷の原因が除かれたか否かの入力を待つ（Ｓ１２）。Ｓ１２の判定で原因が除かれれば、Ｓ８に戻って、低速清掃速度での運転が実行される。負荷モニター機能７２でモニターされた負荷が設定された負荷レベル（閾値）を越えていない場合には、清掃運転モードを終了するか否かが判定される（Ｓ１０）。清掃運転モードが終了される場合には、清掃運転モードに入っていたコンベヤ装置の運転を停止し、通常運転モードにおける運転開始の基準位置まで復帰運転させてから停止する（Ｓ１３）。このようにすることで、通常運転モードの運転開始時には、コンベヤ装置のポジションは基準位置を占めていることになり、通常の運転モードにスムーズに移行することができる。Ｓ１０の判定において、清掃運転モードが終了でない場合には、Ｓ５に戻って、安全カバーが開放状態のままであることを条件にして、低速清掃速度での運転が継続される。
【００４８】
図３は、図１に示す横型製袋充填包装機に用いられる表示装置の表示画面の一例を示す図である。表示装置は、包装機１に備わっており、諸設定をするときに用いる或いは包装機１の運転状態を示すモニターとすることができる。表示装置の表示画面８０には、清掃運転モードにおいて、清掃の対象とするコンベヤ装置を選択することができる。チェックボックス等にマークを入れることで、一方又は両方のコンベヤ装置を選択可能である。表示画面８０には、また、選択したコンベヤ装置の低速清掃速度を希望する速度に変更可能である。速度の変更は、清掃開始前に指定するか、或いは清掃中であっても可能にすることができる。低速清掃速度をデフォルト速度、更に遅い速度、或いは停止モードの中から選択可能であり、また、デフォルト速度に対する割合を変更することで、任意の速度にも変更可能である。コンベヤ装置の速度を低速清掃速度よりも更に遅い速度、或いは停止モードに変更するときは、コンベヤ装置の念入りな清掃を行うことができる。なお、図示はしていないが、コンベヤ装置の速度を低速清掃速度よりも若干速い速度に変更することで、清掃の必要のない箇所を比較的に速い速度で移動させることも可能である。
【００４９】
横型製袋充填包装機１において、コンベヤ装置に働く負荷を駆動モータのモニター機能によってモニターして、一定以上の負荷をモニターしたときには、安全のために、直ちにコンベヤ装置を停止させることが好ましい。コンベヤ装置に働く負荷は、この負荷モニター機能により、駆動モータに負荷の反作用として現れる駆動電流や駆動トルクの増加としてモニター可能である。表示装置の表示画面８０においては、清掃運転モードを選択する場合に、負荷の検出レベルを幾つかのレベルとして設定することができる。また、任意の負荷レベルにも設定可能とすることができる。
【００５０】
横型製袋充填包装機１には、包装機１が清掃運転モードで運転中であることを表示する表示手段を配設することができる。表示手段によって横型製袋充填包装機が清掃運転モードで運転中であることを表示することで、包装機１の周囲に居るどのオペレータも、横型製袋充填包装機が清掃運転モードで運転されていることを認識・確認することができる。表示手段の例としては、ランプやディスプレイのような光学的表示、或いは警報音のような音響的表示とすることができる。表示画面８０では、「点灯時  清掃運転中」である旨を表示する例が示されている。各コンベヤの駆動モータの負荷をモニタリングし、低速回転時の負荷よりも僅かに高い負荷を検出レベルとして閾値に設定し、清掃運転モードのときには、ブザー等の表示手段で周囲のオペレータに注意喚起をし、少しでも閾値を上回る負荷がモニターされればコンベヤ装置を停止する。このようにすることで、コンベヤ装置を覆う安全カバーがある場合には当該安全カバーを開放した状態であっても、安全を確保しながらコンベヤ装置の清掃を行うことができる。
【符号の説明】
【００５１】
１  横型製袋充填包装機                  ２  包装材繰り出し装置
３ａ  巻取りホルダ                      ３ｂ  包装材送りローラ
３ｃ  クッションローラ                  ３ｄ  テンションローラ
３ｅ  紙送り用サーボモータ
４  製筒器（フォーマ）                  ５  製品供給コンベヤ装置
６  センターシール装置
７  エンドシール装置                    ７ｃ，７ｄ  エンドシーラ
８  包装体搬出装置
６ａ，７ａ，８ａ  安全カバー            ６ｂ，７ｂ，８ｂ  取っ手
１０  紙引きローラ部                    １１，１２  紙引きローラ
１３  紙引き用サーボモータ
２０  目付ローラ部                      ２１，２２  目付ローラ
２３  目付ローラ用サーボモータ
３０  バーヒータ部                      ３１，３２  バーヒータ
４０  シャトルコンベヤ装置              ４１  中間コンベヤ装置
４２  包装体搬出コンベヤ装置            ４３  シャトルコンベヤ用サーボモータ
４４  伝動機構                          ４５，４６  駆動プーリ
４７，４８  渡りプーリ                  ４９，５０  中間プーリ
５１，５２  ガイドプーリ                ５３，５４  コンベヤベルト
６０  制御装置                          ６１  運転モード制御部
６２  通常運転モード制御部              ６３  清掃運転モード制御部
６４  運転モード指定部                  ６５  設定記憶手段
６６  負荷判定部                        ６７  カバー開閉判定部
７０  運転モード選択手段                ７１  清掃設定手段
７２  モータ負荷センサ                  ７３  安全カバー開閉センサ
８０  表示画面
Ｆｒ  包装材ロール                      Ｆｗ  帯状包装材
ｆｅ，ｆｅ  両側縁部分                  Ｆｔ  筒状包装材
Ｂ  袋                                  Ｐ  製品
Ｂｐ  ピロー包装体
【図１】
2020111338.tif 000003
【図２】
2020111338.tif 000004
【図３】
2020111338.tif 000005
【図４】
2020111338.tif 000006
【図５】
2020111338.tif 000007
【図６】
2020111338.tif 000008